(57)【要約】【課題】視聴予約したテレビジョン放送の開始時間にユーザが該テレビジョン放送を視聴可能ではない場合に，自動的にそのテレビジョン放送を録画することのできるテレビジョン受像システムを提供すること。【解決手段】予約されたテレビジョン放送がテレビジョン受像機に表示されるときに，ユーザが該テレビジョン放送を視聴可能な状態であるか否かを判定し（Ｓ２５〜Ｓ２８），ユーザが前記テレビジョン放送を視聴可能な状態にないと判定された場合に（Ｓ２７のＹｅｓ側），該テレビジョン放送を前記録画装置に自動的に録画させることを特徴とするテレビジョン受像システムとして構成される。【選択図】図３
2008028625.tif 000002
【特許請求の範囲】
【請求項１】
各種のテレビジョン放送を受信して表示するテレビジョン受像機と，前記テレビジョン放送を録画する録画装置と，前記テレビジョン受像機で視聴する前記テレビジョン放送を予約する視聴予約手段と，前記視聴予約手段により予約された前記テレビジョン放送を前記テレビジョン受像機に表示させる予約視聴実行手段と，を備えてなるテレビジョン受像システムであって，
前記視聴予約手段により予約された前記テレビジョン放送が前記予約視聴実行手段によって前記テレビジョン受像機に表示されるときに，ユーザが該テレビジョン放送を視聴可能な状態であるか否かを判定する視聴可否判定手段と，
前記視聴可否判定手段によりユーザが前記テレビジョン放送を視聴可能な状態にないと判定された場合に，該テレビジョン放送を前記録画装置に自動的に録画させる自動録画手段と，
を備えてなることを特徴とするテレビジョン受像システム。
【請求項２】
前記テレビジョン放送を記憶するためのハードディスクを更に備えてなり，
前記録画装置が，前記テレビジョン放送を前記ハードディスクに録画するものである請求項１に記載のテレビジョン受像システム。
【請求項３】
前記視聴可否判定手段が，前記テレビジョン受像機の近辺にユーザが存在するか否かを検知するユーザ検知手段を含んでなり，該ユーザ検知手段による検知結果に応じて，ユーザが前記テレビジョン放送を視聴可能な状態であるか否かを判定するものである請求項１又は２のいずれかに記載のテレビジョン受像システム。
【請求項４】
前記視聴可否判定手段が，ユーザに視聴の有無を確認するための表示を行う視聴有無確認表示手段を含んでなり，前記視聴有無確認表示手段により前記表示が行われた後，所定の操作手段に対して応答がなされたか否かに応じて，ユーザが前記テレビジョン放送を視聴可能な状態であるか否かを判定するものである請求項１又は２のいずれかに記載のテレビジョン受像システム。
【請求項５】
前記視聴可否判定手段によりユーザが前記テレビジョン放送を視聴可能な状態でないと判定された場合に，前記テレビジョン受像機を少なくとも前記テレビジョン放送を非表示とするモードに移行させるモード移行手段を更に備えてなる請求項１〜４のいずれかに記載のテレビジョン受像システム。
【請求項６】
予め前記自動録画手段の機能を有効又は無効のいずれかに設定する自動録画有無設定手段を更に備えてなる請求項１〜５のいずれかに記載のテレビジョン受像システム。
【請求項７】
前記自動録画有無設定手段が，前記視聴予約手段による前記テレビジョン放送の視聴の予約時に，該テレビジョン放送についての前記自動録画手段の機能を有効又は無効のいずれかに設定するものである請求項６に記載のテレビジョン受像システム。
【発明の詳細な説明】
【技術分野】
【０００１】
本発明は，テレビジョン受像機で視聴するテレビジョン放送を予約する視聴予約機能に関するものである。
【背景技術】
【０００２】
従来から，テレビジョン放送を受信して表示するテレビジョン受像機（以下，「テレビ」と略称する）で，視聴するテレビジョン放送を予約することのできる視聴予約機能が知られている。
この視聴予約機能では，予約されたテレビジョン放送の放送時刻になると，その予約されたテレビジョン放送が自動的にテレビに表示される。このように，ユーザは視聴予約機能を利用することでテレビジョン放送の見逃しを防止することができる。
一方，特許文献１には，ユーザの趣向番組の見逃しを防止するべく，予め設定された趣向番組の録画が予約されていない場合に，その旨をユーザに報知する番組予約録画装置が示されている。
【特許文献１】特開２００１−２７５０６７号公報
【発明の開示】
【発明が解決しようとする課題】
【０００３】
しかしながら，前記視聴予約機能を利用してテレビジョン放送の視聴を予約しても，そのテレビジョン放送の視聴時間にユーザがテレビを視聴可能な状態にあるとは限らない。例えば，ユーザが視聴予約を行った後に外出するなどの理由によりテレビから離れてしまった場合には，前記視聴予約機能によって視聴時間にテレビジョン放送が表示されても，ユーザは視聴することができず，結局，そのテレビジョン放送を見逃すことになるという問題がある。
従って，本発明は上記事情に鑑みてなされたものであり，その目的とするところは，視聴予約したテレビジョン放送の開始時間にユーザが該テレビジョン放送を視聴可能ではない場合に，自動的にそのテレビジョン放送を録画することのできるテレビジョン受像システムを提供することにある。
【課題を解決するための手段】
【０００４】
上記目的を達成するために本発明は，各種のテレビジョン放送を受信して表示するテレビジョン受像機と，前記テレビジョン放送を録画する録画装置と，前記テレビジョン受像機で視聴する前記テレビジョン放送を予約する視聴予約機能と，前記視聴予約機能により予約された前記テレビジョン放送を前記テレビジョン受像機に表示させる予約視聴実行機能と，を備えてなるテレビジョン受像システムに適用されるものであって，前記視聴予約機能により予約された前記テレビジョン放送が前記予約視聴実行機能によって前記テレビジョン受像機に表示されるときに，ユーザが該テレビジョン放送を視聴可能な状態であるか否かを判定する視聴可否判定機能と，該視聴可否判定機能によってユーザが前記テレビジョン放送を視聴可能な状態にないと判定された場合に，該テレビジョン放送を前記録画装置に自動的に録画させる自動録画機能とを備えてなることを特徴とするテレビジョン受像システムとして構成される。
これにより，予約されたテレビジョン放送の放送開始時にユーザが該テレビジョン放送を視聴可能な状態でなくても，ユーザは自動的に録画された前記テレビジョン放送を後で視聴することが可能となり，視聴予約したテレビジョン放送の見逃しを防止することができる。
また，前記テレビジョン放送の録画は，ビデオテープやＤＶＤなどの各種の記憶メディアに行われるものであってもよいが，この場合には，偶然にセットされていた記憶メディアに記憶された以前のデータに前記テレビジョン放送が自動的に上書きされるおそれがある。そのため，前記テレビジョン放送を録画するためのハードディスクを設けておき，前記録画装置が前記テレビジョン放送を前記ハードディスクに録画するものであることが望ましい。
【０００５】
ところで，前記視聴可否判定機能は，例えば，前記テレビジョン受像機の近辺にユーザが存在するか否かを検知する赤外線センサなどのユーザ検知手段を設けておき，該ユーザ検知手段による検知結果に応じて，ユーザが該テレビジョン放送を視聴可能な状態であるか否かを判定するものであることが考えられる。他に，ユーザに視聴の有無を確認するための表示を行い，その表示が行われた後，リモコンなどの所定の操作手段に対して応答がなされたか否かに応じて判定することも考えられる。
また，ユーザが視聴可能な状態でない場合には，そのテレビジョン放送が自動的に録画されるため，該テレビジョン放送を表示する必要はない。そこで，前記視聴可否判定機能によってユーザが視聴可能な状態でないと判定された場合には，前記テレビジョン受像機を少なくともテレビジョン放送を非表示とするモードに移行させることが望ましい。これにより，無駄なテレビジョン放送の表示をなくして前記テレビジョン受像機の消費電力を削減することができる。
【０００６】
しかしながら，全てのユーザが前記自動録画機能を望んでいるとは限らない。そこで，予め前記自動録画機能を有効又は無効のいずれかに設定することができる構成が望ましい。
例えば，前記視聴予約機能による前記テレビジョン放送の視聴の予約時に，該テレビジョン放送についての前記自動録画機能を有効又は無効のいずれかに設定することができれば，ユーザが必要と考えるテレビジョン放送だけに対して前記自動録画機能を有効にすることができる。
【発明の効果】
【０００７】
本発明によれば，予約されたテレビジョン放送の視聴開始時にユーザがそのテレビジョン放送を視聴可能な状態でない場合に，前記テレビジョン放送が自動的に録画されるため，ユーザは後でその録画されたテレビジョン放送を視聴することができ，視聴予約されたテレビジョン放送の見逃しを防止することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像システムＸの概略構成を示すブロック図，図２は前記テレビジョン受像システムＸにおいて実行される視聴予約処理の手順の一例を説明するためのフローチャート，図３は前記テレビジョン受像システムＸにおいて実行される予約視聴実行処理の手順の一例を説明するためのフローチャートである。
まず，図１のブロック図を用いて，本発明の実施の形態に係るテレビジョン受像システムＸ（以下「システムＸ」と略称する）の概略構成について説明する。
図１に示すように，前記システムＸは，テレビジョン放送を受信して表示するテレビジョン受像機１（以下「テレビ１」と略称する）と，該テレビジョン受像機１と通信可能に接続され，前記テレビジョン放送を内部に設けられたハードディスク２３に録画するハードディスクレコーダー２（以下「レコーダー２」と略称する）とを備えて構成されている。なお，前記レコーダー２は，本発明に係る録画装置の一例に過ぎず，ＤＶＤレコーダーやビデオテープレコーダー等も該当する。
【０００９】
前記レコーダー２は，ＣＰＵやＲＡＭなどを有してなり当該レコーダー２を統括的に制御するマイコン２１と，前記マイコン２１に対して各種の操作入力を行うためのリモコンや本体スイッチ等からなる操作部２２と，各種の映像が記憶されるハードディスク２３と，入力された映像に各種の映像処理を施して出力する映像処理回路２４と，ＨＤＭＩ規格に準拠した通信方式に従って前記テレビ１と通信を行うための入出力インターフェース２５（以下「Ｉ／Ｆ２５」という）と，を備えて概略構成されている。  前記レコーダー２では，前記テレビ１から前記Ｉ／Ｆ２５を介して前記マイコン２１に制御信号が伝送されることにより，該マイコン２１が前記制御信号に従った処理を実行する。例えば，前記テレビジョン放送の録画を指示するための制御信号が伝送されると，前記マイコン２１は前記Ｉ／Ｆ２５を介して前記テレビ１から入力される前記テレビジョン放送を前記ハードディスク２３に録画するための処理を実行する。
なお，前記レコーダー２は，図１に示す他に，通常のハードディスクレコーダーが備える他の構成要素も備えるが，ここでは説明を省略する。また，前記レコーダー２は，前記テレビ１から前記Ｉ／Ｆ２５を介して前記テレビジョン放送を受信する構成であるが，該レコーダー２に前記テレビジョン放送を受信するためのチューナーが設けられる構成であってもよい。
【００１０】
前記テレビ１は，ＣＰＵやＲＡＭなどを有してなり当該テレビ１を統括的に制御するマイコン１１と，前記マイコン１１に各種の操作入力を行うためのリモコンや本体スイッチなどからなる操作部１２と，地上波放送信号やＢＳ衛星放送信号，ＣＡＴＶ放送信号などの各種のテレビジョン放送を受信するためのチューナー１３と，ＨＤＭＩ規格に準拠した通信方式に従って前記レコーダー２と通信を行うための入出力インターフェース１４（以下「Ｉ／Ｆ１４」という）と，入力された映像に各種の映像処理を施して出力する映像処理回路１５と，前記映像処理回路１５から出力された映像を表示する液晶パネルや，テレビジョン放送の音声を出力するスピーカー等からなる表示部１６と，を備えて概略構成されている。なお，前記テレビ１は，図１に示す他に，通常のテレビジョン受像機が備える他の構成要素も備えるが，ここでは説明を省略する。
前記テレビ１のマイコン１１は，前記レコーダー２に対して制御信号を送信することにより，該レコーダー２に対してテレビジョン放送の録画などの各種の処理を実行させる。
また，前記テレビ１は，予め視聴するテレビジョン放送の番組を設定することにより，該テレビジョン放送の番組の放送時間に自動的に該番組を表示する視聴予約機能と，該視聴予約機能により視聴予約された番組をユーザが視聴していない場合にその番組を自動的に前記レコーダー２に録画させる自動録画機能とを備えている。これらの機能は，前記マイコン１１によって所定の制御プログラムに従って後述の視聴予約処理（図２のフローチャート参照）及び予約視聴実行処理（図２のフローチャート参照）が実行されることによりそれぞれ実現される。ここに，前記視聴予約処理を実行するときの前記マイコン１１が視聴予約手段に，前記予約視聴実行処理を実行するときの前記マイコン１１が予約視聴実行手段に相当する。また，前記自動録画機能を具現するときの前記マイコン１１が自動録画手段に相当する。以下，前記視聴予約処理（図２のフローチャート参照）及び前記予約視聴実行処理（図２のフローチャート参照）について詳説する。
【００１１】
まず，図２のフローチャートに従って，前記マイコン１１によって実行される前記視聴予約処理の手順の一例について説明する。なお，図中のＳ１，Ｓ２，…は処理手順（ステップ）の番号を表している。
ステップＳ１では，前記操作部１２に対して視聴予約開始の要求操作が行われたか否かが前記マイコン１１によって判断される。このステップＳ１の判断は，前記要求操作が行われたと判断されるまで繰り返し実行され（Ｓ１のＮｏ側），前記要求操作が行われたと判断された場合には（Ｓ１のＹｅｓ側），処理はステップＳ２に移行する。
ステップＳ２では，ユーザによる前記操作部１２への操作入力に応じて，視聴するテレビジョン放送を予約するための設定処理が前記マイコン１１によって行われる。具体的には，視聴予約するテレビジョン放送の番組のチャンネルや放送時間などが設定される。以下，ここで予約されたテレビジョン放送を視聴予約テレビジョン放送という。
【００１２】
続いて，ステップＳ３では，前記マイコン１１によって，前記視聴予約テレビジョン放送についての前記自動録画機能の有効／無効をユーザに選択させるための表示が前記表示部１６に表示される。
そして，ステップＳ４では，前記操作部１２に対して前記自動録画機能の有効／無効のいずれが選択されたかが前記マイコン１１によって判断される。ここで，前記自動録画機能を有効にするための操作入力が行われたと判断された場合には，処理はステップＳ４１に移行し，無効にするための操作入力が行われたと判断された場合には，処理はステップＳ５に移行する。
前記ステップＳ５では，前記マイコン１１によって前記自動録画機能が無効に設定され，続くステップＳ６で，前記マイコン１１によって，例えば「視聴予約完了，自動録画機能ＯＦＦ」が前記表示部１６に表示された後，当該視聴予約処理は終了する。
【００１３】
一方，前記自動録画機能を有効にするための操作入力が行われた場合に実行されるステップＳ４１では，前記マイコン１１によって，例えば「容量チェックを開始します」が前記表示部１６に表示される。
そして，続くステップＳ４２では，前記マイコン１１によって前記レコーダー２のハードディスク２３に空き容量が存在するか否かが判断される。具体的には，前記Ｉ／Ｆ１４，Ｉ／Ｆ２５を介して前記レコーダー２のマイコン２１に前記ハードディスク２３の空き容量を問い合わせ，該マイコン２１から送信される返答信号に基づいて判断される。なお，前記空き容量の有無の判断は，例えば前記ハードディスク２３の空き容量が，前記視聴予約テレビジョン放送の全てを録画するために必要な容量以上であるか否かを判断するものであっても，或いは予め設定された所定時間以上録画するために必要な容量以上であるか否かを判断するものであってもよく，また，これらに限られるものではない。
ここで，前記ハードディスク２３に空き容量が存在しないと判断された場合には，処理はステップＳ４３に移行し，空き容量が存在すると判断された場合には，処理はステップＳ４５に移行する。
前記ステップＳ４５では，前記マイコン１１によって前記自動登録機能が有効に設定され，続く前記ステップＳ６で前記マイコン１１によって，例えば「視聴予約完了，自動録画機能ＯＮ」が前記表示部１６に表示された後，当該視聴予約処理は終了する。
【００１４】
一方，前記ハードディスク２３に空き容量が存在しないと判断された場合に実行されるステップＳ４３では，前記マイコン１１によって，例えば「ハードディスクの空き容量が少なくなっています，データを消去しますか？」などのデータ消去要求が前記表示部１６に表示される。
そして，ステップＳ４４では，前記ハードディスク２３内のデータが消去されたか否かが前記マイコン１１によって判断される。ここで，前記ハードディスク２３内のデータが消去されたと判断された場合には，再度，前記ハードディスク２３内の空き容量を確認するべく，処理は前記ステップＳ４１に移行するが，データが消去されなかった場合には，処理は前記ステップＳ５に移行して前記自動録画機能が無効に設定される。
このように，前記テレビジョン受像システムＸでは，前記自動録画機能の有効／無効を前記テレビジョン放送各々の視聴の予約時に予め設定することができる。ユーザが必要と考える場合にのみ，前記自動録画機能を有効にすることにより無駄な録画や，前記レコーダー２の無駄な動作を防止することができる。ここに，前記自動録画機能の有無の設定処理を実行するときの前記マイコン１１が自動録画有無設定手段に相当する。
【００１５】
次に，図３のフローチャートに従って，前記マイコン１１によって実行される前記自動録画処理の手順の一例について説明する。なお，図中のＳ２１，Ｓ２２，…は処理手順（ステップ）の番号を表している。
まず，ステップＳ２１では，前記視聴予約テレビジョン放送の放送時間が到来したか否かが前記マイコン１１によって判断される。このステップＳ２１の判断は，前記視聴予約テレビジョン放送の放送時間が到来したと判断されるまで繰り返し実行され（Ｓ２１のＮｏ側），前記放送時間が到来したと判断された場合には（Ｓ２１のＹｅｓ側），処理はステップＳ２２に移行する。
ステップＳ２２では，前記視聴予約テレビジョン放送についての前記自動録画機能が有効又は無効のいずれに設定されているかが前記マイコン１１によって判断される。
【００１６】
まず，前記自動録画機能が有効に設定されいてる場合に実行される当該予約視聴実行処理について説明する。この場合，処理はステップＳ２３に移行する。
前記ステップＳ２３では，前記マイコン１１によって，前記Ｉ／Ｆ１４，前記Ｉ／Ｆ２５を介して前記レコーダー２のマイコン２１に，前記視聴予約テレビジョン放送を録画させるための制御信号が伝送される。これにより，前記レコーダー２では，前記マイコン２１によって前記制御信号に従って前記テレビジョン放送の録画が開始される。
そして，ステップＳ２４では，前記マイコン１１によって，前記テレビ１の表示部１６に表示するテレビジョン放送が前記視聴予約テレビジョン放送に切り換えられる。なお，このとき前記テレビ１が，前記テレビジョン放送を非表示とする所謂スタンバイモードなどの状態である場合には，該スタンバイモードから前記テレビジョン放送を表示可能な通常の動作モードに移行された後，前記表示部１６に表示するテレビジョン放送が切り換えられる。
【００１７】
その後，ステップＳ２５では，前記マイコン１１によって，前記視聴予約テレビジョン放送を視聴しているか否かをユーザに確認するための表示，例えば「テレビジョン放送を視聴していますか？」という表示が前記表示部１６に表示され，続くステップＳ２６では，前記視聴予約テレビジョン放送の放送開始後の計時が開始される。ここに，前記表示を行うときの前記マイコン１１が視聴有無確認表示手段に相当する。
そして，続くステップＳ２７では，前記ステップＳ２６で開始された計時時間が５分を経過したか否かが前記マイコン１１によって判断される。ここで，前記計時時間が５分を経過していないと判断された場合には，処理はステップＳ２８に移行し，経過していると判断された場合には，処理はステップＳ２７１に移行する。
【００１８】
前記ステップＳ２７１に移行した場合には，ユーザが前記視聴予約テレビジョン放送を視聴可能な状態にないため，前記ステップＳ２３で開始された前記視聴予約テレビジョン放送の録画が継続されたまま，前記マイコン１１によって，前記テレビ１の動作モードが少なくともテレビジョン放送を非表示とするスタンバイモードに移行された後，当該予約視聴実行処理は終了される。これにより，前記テレビ１において前記視聴予約テレビジョン放送を表示するための無駄な消費電力を省減することができる。ここに，かかるモードの移行処理を実行するときの前記マイコン１１がモード移行手段に相当する。
なお，前記視聴予約テレビジョン放送の録画は，該視聴予約テレビジョン放送の終了時刻に終了する。
【００１９】
一方，前記ステップＳ２８に移行した場合には，該ステップＳ２８において，前記ステップＳ２５の表示に対する応答として，前記操作部１２に設けられた確認ボタンなどが操作されたか否かが前記マイコン１１によって判断される。これにより，ユーザが前記テレビ１を視聴可能な位置に存在しているか否かが判断される。
ここで，前記操作部１２の操作が行われたと判断された場合には（Ｓ２８のＹｅｓ側），処理はステップＳ２９に移行し，操作が行われていないと判断されている間は（Ｓ２８のＮｏ側），処理は前記ステップＳ２７に移行する。
ここに，前記ステップＳ２５〜Ｓ２８の処理を実行することにより，ユーザによる前記視聴予約テレビジョン放送の視聴の可否を判定するときの前記マイコン１１が視聴可否判定手段に相当する。また，前記ステップＳ２５〜Ｓ２８の処理は，前記視聴予約テレビジョン放送の開始前に行われるものであってもかまわない。なお，前記マイコン１１が前記ステップＳ２５〜Ｓ２８の処理に換えて，前記テレビ１に設けられた不図示の赤外線センサ（ユーザ検知手段の一例）によって，該テレビ１の近辺にユーザが存在するか否かを検知し，その検知結果に応じてユーザによる前記視聴予約テレビジョン放送の視聴の可否を判定することも他の実施例として考えられる。
【００２０】
そして，前記ステップＳ２９では，前記自動録画設定が有効であるか無効であるかが前記マイコン１１によって判断される。ここで，前記自動録画設定が有効であると判断された場合には処理がステップＳ３０に移行し，無効であると判断された場合には，処理は前記ステップＳ２７１に移行する。
ステップＳ３０に移行した場合には，前記自動録画設定が有効であるため，前記視聴予約テレビジョン放送が録画されているが，ユーザが前記視聴予約テレビジョン放送を視聴可能な状態にあるため，該視聴予約テレビジョン放送の録画が必ずしも必要では無い。そのため，前記ステップＳ３０では，前記視聴予約テレビジョン放送の録画を継続するか否かをユーザに問い合わせるための表示，例えば「録画を継続しますか？」という表示が，前記マイコン１１によって前記表示部１６に表示される。
【００２１】
そして，続くステップＳ３１では，ユーザによって前記操作部１２に，前記視聴予約テレビジョン放送の録画の継続／停止のいずれを選択するための操作が行われたかが前記マイコン１１によって判断される。ここで，ユーザによって前記視聴予約テレビジョン放送の録画の継続が選択されたと判断された場合には（Ｓ３１のＹｅｓ側），該視聴予約テレビジョン放送の録画が継続されたまま，前記ステップＳ２７１を経由して当該予約視聴実行処理は終了される。
一方，ユーザによって前記視聴予約テレビジョン放送の録画の停止が選択されたと判断された場合には（Ｓ３１のＮｏ側），処理はステップＳ３２に移行する。
【００２２】
ステップＳ３２では，前記マイコン１１によって，前記レコーダー２に前記視聴予約テレビジョン放送の録画を停止させるための制御信号が伝送される。その後，前記ステップＳ２７１を経由して当該予約視聴実行処理は終了される。
前記ステップＳ３２において前記視聴予約テレビジョン放送の録画を停止するための制御信号を受信した前記レコーダー２では，前記視聴予約テレビジョン放送の録画が停止され，該レコーダー２のハードディスク２３に録画された５分間の前記視聴予約テレビジョン放送のデータが消去される。そのため，前記レコーダー２に無駄なデータが蓄積することはない。
【００２３】
以上，説明したように，前記予約視聴実行処理では，前記視聴予約処理において予約されたテレビジョン放送についての自動録画機能が有効に設定されている場合には，ユーザが前記視聴予約テレビジョン放送を視聴可能な状態にあるか否かを判定し，視聴可能な状態でない場合に該視聴予約テレビジョン放送が自動的に録画されているため，ユーザは後でその録画された視聴予約テレビジョン放送を視聴することができ，該視聴予約テレビジョン放送の見逃しを防止することができる。
【００２４】
次に，前記自動録画機能が無効に設定されいてる場合に実行される当該予約視聴実行処理について説明する。この場合には，処理は前記ステップＳ２３を経由せずに，即ち前記視聴予約テレビジョン放送の録画を開始することなく，前記ステップ２４に移行する。そして，前記ステップＳ２４において，前記マイコン１１によって，前記テレビ１の表示部１６に表示するテレビジョン放送が前記視聴予約テレビジョン放送に切り換えられると，その後は，前記自動録画機能が有効に設定されいてる場合と同様に処理が進行する。但し，この場合には，前記ステップＳ２９で前記自動録画設定が無効であると判断されるため，処理は前記ステップＳ２７１に移行することになる。
【図面の簡単な説明】
【００２５】
【図１】本発明の実施の形態に係るテレビジョン受像システムの概略構成を示すブロック図。
【図２】本発明の実施の形態に係るテレビジョン受像システムにおいて実行される視聴予約処理の手順の一例を説明するためのフローチャート。
【図３】本発明の実施の形態に係るテレビジョン受像システムにおいて実行される予約視聴実行処理の手順の一例を説明するためのフローチャート。
【符号の説明】
【００２６】
１…テレビジョン受像機
１１…マイコン
１２…操作部
１３…チューナー
１４…入出力インターフェース
１５…映像処理回路
１６…表示部
２…ハードディスクレコーダー
２１…マイコン
２２…操作部
２３…ハードディスク
２４…映像処理回路
２５…入出力インターフェース
Ｓ１，Ｓ２，…，…処理手順（ステップ）番号
【図１】
2008028625.tif 000003
【図２】
2008028625.tif 000004
【図３】
2008028625.tif 000005